【手続補正書】
【提出日】平成26年7月14日(2014.7.14)
【手続補正１】
【補正対象書類名】明細書
【補正対象項目名】発明の名称
【補正方法】変更
【補正の内容】
【発明の名称】画像形成装置、画像形成システム、とその処理方法、およびプログラム
【手続補正２】
【補正対象書類名】明細書
【補正対象項目名】０００１
【補正方法】変更
【補正の内容】
【０００１】
画像形成装置、画像形成システム、とその処理方法、およびプログラムに関し、特に、スキャンチケットを用いることにより読み取り処理を容易に実行させる仕組みに関する。
【手続補正３】
【補正対象書類名】明細書
【補正対象項目名】０００７
【補正方法】変更
【補正の内容】
【０００７】
そこで、本発明の目的は、印刷ジョブに対して印刷指示があった場合に、スキャンチケットを生成させることで、印刷指示があった印刷ジョブの紙文書の読取処理を容易に行わせる仕組みを提供することである。
【手続補正４】
【補正対象書類名】明細書
【補正対象項目名】０００８
【補正方法】変更
【補正の内容】
【０００８】
本発明の目的を達成するために、紙文書の読取処理を実行するための指示内容が定義されているスキャンチケットを管理する管理サーバと通信可能に接続される、蓄積された印刷ジョブに対して印刷に関する指示をすることが可能な画像形成装置であって、蓄積された印刷ジョブの一覧から印刷処理する印刷ジョブを指定する指定手段と、前記指定手段で指定された印刷ジョブに印刷指示がされた場合に、前記指定された印刷ジョブを印刷した紙文書の読み取りを実行させるためのスキャンチケットを生成すべく、印刷ジョブの識別情報を含むスキャンチケットの生成要求を前記管理サーバにする生成要求手段とを備えることを特徴とする。
【手続補正５】
【補正対象書類名】明細書
【補正対象項目名】０００９
【補正方法】変更
【補正の内容】
【０００９】
本願の発明によれば、印刷ジョブに対して印刷指示があった場合に、スキャンチケットを生成させることで、印刷指示があった印刷ジョブの紙文書の読取処理を容易に行わせることができる。
【手続補正６】
【補正対象書類名】特許請求の範囲
【補正対象項目名】全文
【補正方法】変更
【補正の内容】
【特許請求の範囲】
【請求項１】
紙文書の読取処理を実行するための指示内容が定義されているスキャンチケットを管理する管理サーバと通信可能に接続される、蓄積された印刷ジョブに対して印刷に関する指示をすることが可能な画像形成装置であって、
蓄積された印刷ジョブの一覧から印刷処理する印刷ジョブを指定する指定手段と、
前記指定手段で指定された印刷ジョブに印刷指示がされた場合に、前記指定された印刷ジョブを印刷した紙文書の読み取りを実行させるためのスキャンチケットを生成すべく、印刷ジョブの識別情報を含むスキャンチケットの生成要求を前記管理サーバにする生成要求手段と
を備えることを特徴とする画像形成装置。
【請求項２】
前記生成要求手段により生成されたスキャンチケットの一覧を前記管理サーバより取得する取得手段と、
前記取得手段により取得したスキャンチケットの一覧を表示する表示制御手段と、
前記表示制御手段により表示部に表示されたスキャンチケットの一覧情報からスキャンチケットの選択を受け付けるユーザ操作受付手段と、
前記ユーザ操作受付手段により受け付けたスキャンチケットを用いて紙文書の読取処理
を行い、読取処理により得られた画像を所定の送信先へ送信する送信手段と
を備えることを特徴とする請求項１に記載の画像形成装置。
【請求項３】
当該画像形成装置にログインするログイン手段を備え、
前記生成要求手段で生成要求されるスキャンチケットは、前記ログイン手段でログインしたユーザと異なるユーザによる印刷指示に従って生成されることを特徴とする請求項１又は２に記載の画像形成装置。
【請求項４】
前記指定された印刷ジョブに転送指示があった場合に、前記指定された印刷ジョブを転送するユーザを指定する転送ユーザ指定手段と、
前記指定された印刷ジョブを前記転送ユーザ指定手段により指定されたユーザが印刷可能とするべく、前記転送するユーザを出力するユーザ出力手段と
を更に備え、
前記生成要求手段は、前記転送された印刷ジョブを印刷指示した場合に、スキャンチケットの生成要求をすることを特徴とする請求項１乃至３のいずれか１項に記載の画像形成装置。
【請求項５】
前記転送ユーザ指定手段により転送するユーザが指定される場合に、前記指定された印刷ジョブを印刷した紙文書の読み取る際の設定をする読取設定手段
を更に備えることを特徴とする請求項４に記載の画像形成装置。
【請求項６】
紙文書の読み取りを実行するための指示内容が定義されているスキャンチケットを管理する管理サーバと、蓄積された印刷ジョブに対して印刷に関する指示をすることが可能な画像形成装置とを含む画像処理システムであって、
前記画像形成装置は、
蓄積された印刷ジョブの一覧から印刷処理する印刷ジョブを指定する指定手段と、
前記指定手段で指定された印刷ジョブに印刷指示がされた場合に、前記指定された印刷ジョブを印刷した紙文書の読み取りを実行させるためのスキャンチケットを生成すべく、印刷ジョブの識別情報を含むスキャンチケットの生成要求を前記管理サーバにする生成要求手段と
を備え、
前記管理サーバは、
前記画像形成装置からのスキャンチケット生成の要求に従って、前記印刷ジョブの識別情報を含むスキャンチケットを生成する生成手段
を備えることを特徴とする画像処理システム。
【請求項７】
紙文書の読取処理を実行するための指示内容が定義されているスキャンチケットを管理する管理サーバと通信可能に接続される、蓄積された印刷ジョブに対して印刷に関する指示をすることが可能な画像形成装置の処理方法であって、
前記画像形成装置が、
蓄積された印刷ジョブの一覧から印刷処理する印刷ジョブを指定する指定ステップと、
前記指定ステップで指定された印刷ジョブに印刷指示がされた場合に、前記指定された印刷ジョブを印刷した紙文書の読み取りを実行させるためのスキャンチケットを生成すべく、印刷ジョブの識別情報を含むスキャンチケットの生成要求を前記管理サーバにする生成要求ステップと
を実行することを特徴とする処理方法。
【請求項８】
紙文書の読み取りを実行するための指示内容が定義されているスキャンチケットを管理する管理サーバと、蓄積された印刷ジョブに対して印刷に関する指示をすることが可能な画像形成装置とを含む画像処理システムの処理方法であって、
前記画像形成装置が、
蓄積された印刷ジョブの一覧から印刷処理する印刷ジョブを指定する指定ステップと、
前記指定ステップで指定された印刷ジョブに印刷指示がされた場合に、前記指定された印刷ジョブを印刷した紙文書の読み取りを実行させるためのスキャンチケットを生成すべく、印刷ジョブの識別情報を含むスキャンチケットの生成要求を前記管理サーバにする生成要求ステップと
を実行し、
前記管理サーバが、
前記画像形成装置からのスキャンチケット生成の要求に従って、前記印刷ジョブの識別情報を含むスキャンチケットを生成する生成ステップ
を実行することを特徴とする処理方法。
【請求項９】
紙文書の読取処理を実行するための指示内容が定義されているスキャンチケットを管理する管理サーバと通信可能に接続される、蓄積された印刷ジョブに対して印刷に関する指示をすることが可能な画像形成装置で実行可能なプログラムであって、
前記画像形成装置を、
蓄積された印刷ジョブの一覧から印刷処理する印刷ジョブを指定する指定手段と、
前記指定手段で指定された印刷ジョブに印刷指示がされた場合に、前記指定された印刷ジョブを印刷した紙文書の読み取りを実行させるためのスキャンチケットを生成すべく、印刷ジョブの識別情報を含むスキャンチケットの生成要求を前記管理サーバにする生成要求手段
として機能させることを特徴とするプログラム。
【請求項１０】
紙文書の読み取りを実行するための指示内容が定義されているスキャンチケットを管理する管理サーバと、蓄積された印刷ジョブに対して印刷に関する指示をすることが可能な画像形成装置とを含む画像処理システムで実行可能なプログラムであって、
前記画像形成装置を、
蓄積された印刷ジョブの一覧から印刷処理する印刷ジョブを指定する指定手段と、
前記指定手段で指定された印刷ジョブに印刷指示がされた場合に、前記指定された印刷ジョブを印刷した紙文書の読み取りを実行させるためのスキャンチケットを生成すべく、印刷ジョブの識別情報を含むスキャンチケットの生成要求を前記管理サーバにする生成要求手段
として機能させ、
前記管理サーバを、
前記画像形成装置からのスキャンチケット生成の要求に従って、前記印刷ジョブの識別情報を含むスキャンチケットを生成する生成手段
として機能させることを特徴とするプログラム。